(57)【要約】【課題】冷却対象の位置に合わせて、吹出口からの冷却風の風向を調整することができ、冷却対象の冷却効率の低下を抑えることのできるプロジェクターを提供すること。【解決手段】本発明のプロジェクターは、光源装置から射出された光を用いて画像を表示させるプロジェクターであって、プロジェクター内部の冷却対象を冷却するための冷却風を送出する送風機８１と、冷却風を冷却対象の近傍まで導き、吹出口８２ａから冷却対象に向けて冷却風を吹き出させる送風ダクト８２と、冷却対象の位置に合わせて吹出口から吹き出される冷却風の風向を変更させる風向変更手段８６と、を備えることを特徴とする。【選択図】図３
2011141501.tif 000002
【特許請求の範囲】
【請求項１】
光源装置から射出された光を用いて画像を表示させるプロジェクターであって、
前記プロジェクター内部の冷却対象を冷却するための冷却風を送出する送風機と、
前記冷却風を前記冷却対象の近傍まで導き、吹出口から前記冷却対象に向けて前記冷却風を吹き出させる送風ダクトと、
前記冷却対象の位置に合わせて前記吹出口から吹き出される冷却風の風向を変更させる風向変更手段と、を備えることを特徴とするプロジェクター。
【請求項２】
前記光源装置から射出された光を変調する空間光変調装置、前記空間光変調装置で変調された光が入射する射出側偏光板、および前記射出側偏光板を透過した光を合成する色合成光学装置を備える変調ユニットをさらに有し、
冷却対象は、前記空間光変調装置および前記射出側偏光板の少なくとも一方であることを特徴とする請求項１に記載のプロジェクター。
【請求項３】
前記光源装置は、第１光源装置と第２光源装置とを備え、
前記変調ユニットは、前記第１光源装置から射出された光を変調する第１空間光変調装置、前記第１空間光変調装置で変調された光が入射する第１射出側偏光板、および前記第１射出側偏光板を透過した光を合成する第１色合成光学装置を備える第１変調ユニットと、前記第２光源装置から射出された光を変調する第２空間光変調装置、前記第２空間光変調装置で変調された光が入射する第２射出側偏光板、および前記第２射出側偏光板を透過した光を合成する第２色合成光学装置を備える第２変調ユニットと、を備え、
前記第１変調ユニットおよび前記第２変調ユニットから射出される光を合成する合成光学装置と、をさらに有することを特徴とする請求項２に記載のプロジェクター。
【請求項４】
前記風向変更手段は、前記吹出口の近傍であって、前記送風ダクトの内側に設けられていることを特徴とする請求項１〜３のいずれか１つに記載のプロジェクター。
【請求項５】
前記送風ダクトは、前記冷却対象の位置に合わせて前記吹出口の位置を調整可能であることを特徴とする請求項１〜４のいずれか１つに記載のプロジェクター。
【発明の詳細な説明】
【技術分野】
【０００１】
本発明は、プロジェクター、特に送風機で内部の冷却対象を冷却するプロジェクターの技術に関する。
【背景技術】
【０００２】
光源装置から射出された光を用いて画像を表示するプロジェクターとしては、例えば、赤色（Ｒ）光用、緑色（Ｇ）光用、青色（Ｂ）光用の各透過型液晶表示パネルを備えるプロジェクターが広く普及している。例えば特許文献１には、色合成光学装置としてのダイクロイックプリズムの周囲に、液晶表示パネルや偏光板を配置した技術が開示されている。液晶表示パネルや偏光板は、照明光の吸収によって発熱する。液晶表示パネルや偏光板の温度が上昇すると画質の劣化や、製品寿命の短縮を招くおそれがある。そこで、このようなプロジェクターでは、液晶表示パネルや偏光板を冷却するために、送風機が用いられる場合がある。送風機から送出された冷却風を、液晶表示パネルや偏光板といった冷却対象の近傍まで送風ダクトで導き、送風ダクトに形成された吹出口から冷却対象に向けて冷却風を吹き出すことで冷却対象を冷却する。
【先行技術文献】
【特許文献】
【０００３】
【特許文献１】特開２００５−２３４１２５号公報
【発明の概要】
【発明が解決しようとする課題】
【０００４】
一方、プロジェクターの製造過程において、冷却対象である液晶表示パネルや偏光板の位置の調整が行われる場合がある。送風ダクトをプロジェクター内に据え付けた後で、冷却対象の位置の調整が行われた場合には、吹出口からの冷却風の吹出方向が冷却対象からずれてしまい、冷却効率が低下してしまうという問題があった。
【０００５】
本発明は、上述の問題に鑑みてなされたものであり、冷却対象の位置に合わせて、吹出口からの冷却風の風向を調整することができ、冷却対象の冷却効率の低下を抑えることのできるプロジェクターを提供することを目的とする。
【課題を解決するための手段】
【０００６】
上述した課題を解決し、目的を達成するために、本発明は、光源装置から射出された光を用いて画像を表示させるプロジェクターであって、プロジェクター内部の冷却対象を冷却するための冷却風を送出する送風機と、冷却風を冷却対象の近傍まで導き、吹出口から冷却対象に向けて冷却風を吹き出させる送風ダクトと、冷却対象の位置に合わせて吹出口から吹き出される冷却風の風向を変更させる風向変更手段と、を備えることを特徴とする。冷却対象の位置に合わせて、吹出口から吹き出される冷却風の風向を変更させることができるので、冷却対象の位置を調整した場合の冷却効率の低下を抑えることができる。
【０００７】
また、本発明の好ましい態様としては、光源装置から射出された光を変調する空間光変調装置、空間光変調装置で変調された光が入射する射出側偏光板、および射出側偏光板を透過した光を合成する色合成光学装置を備える変調ユニットをさらに有し、冷却対象は、空間光変調装置および射出側偏光板の少なくとも一方であることが望ましい。空間光変調装置や射出側偏光板は、送風ダクトが据え付けられた後で位置の調整が行われやすいが、それらの位置に合わせて吹出口からの冷却風の風向も調整することができ、冷却効率の低下を抑えることができる。
【０００８】
また、本発明の好ましい態様としては、光源装置は、第１光源装置と第２光源装置とを備え、変調ユニットは、第１光源装置から射出された光を変調する第１空間光変調装置、第１空間光変調装置で変調された光が入射する第１射出側偏光板、および第１射出側偏光板を透過した光を合成する第１色合成光学装置を備える第１変調ユニットと、第２光源装置から射出された光を変調する第２空間光変調装置、第２空間光変調装置で変調された光が入射する第２射出側偏光板、および第２射出側偏光板を透過した光を合成する第２色合成光学装置を備える第２変調ユニットと、を備え、第１変調ユニットおよび第２変調ユニットから射出される光を合成する合成光学装置と、をさらに有することが望ましい。変調ユニットを２つ備えるプロジェクターでは、変調ユニットから射出される光学像の画素を半画素分ずらしたり、一致させたりするために、変調ユニットの位置の調整が行われやすい。変調ユニットの位置の調整に伴って、冷却対象の位置も移動するが、冷却対象の位置に合わせて、吹出口からの冷却風の風向を調整できるので、冷却効率の低下を抑えることができる。
【０００９】
また、本発明の好ましい態様としては、風向変更手段は、吹出口の近傍であって、送風ダクトの内側に設けられていることが望ましい。風向変更手段が送風ダクトの内側に設けられているので、冷却装置の小型化を図ることができ、プロジェクターの小型化にも寄与することができる。
【００１０】
また、本発明の好ましい態様としては、送風ダクトは、冷却対象の位置に合わせて吹出口の位置を調整可能であることが望ましい。風向の調整だけでは対応できないような冷却対象の大きな移動に対しても、吹出口の位置の調整を組み合わせることで、冷却対象に効果的に冷却風を吹き付けて、冷却効率の低下を抑えることができる。
【図面の簡単な説明】
【００１１】
【図１】図１は、本発明の実施例１に係るプロジェクターの概略構成を示す平面図である。
【図２】図２は、冷却装置の概略構成を示す平面図である。
【図３】図３は、入射側偏光板、Ｂ光用空間光変調装置、および射出側偏光板を冷却するための冷却装置の拡大平面図である。
【図４】図４は、図３に示す冷却装置の吹出口部分の部分拡大斜視図である。
【図５】図５は、吹出口から吹き出される冷却風の風向の変更について説明するための側面図である。
【図６】図６は、複数の風向変更板の姿勢の変更による風向の調整を説明するための図である。
【図７】図７は、本発明の実施例２に係るプロジェクターが備える冷却装置の側面図である。
【図８】図８は、図７に示す冷却装置における冷却風の風向の調整を説明するための図である。
【図９】図９は、本発明の実施例３に係るプロジェクターが備える冷却装置の平面図である。
【図１０】図１０は、図９に示す冷却対象における冷却風の風向の調整および吹出口の位置の調整について説明するための図である。
【図１１】図１１は、図９に示す冷却対象における冷却風の風向の調整および吹出口の位置の調整について説明するための図である。
【発明を実施するための形態】
【００１２】
以下に図面を参照して、本発明の実施例を詳細に説明する。
【実施例１】
【００１３】
図１は、本発明の実施例１に係るプロジェクターの概略構成を示す平面図である。なお、図１では、冷却装置の図示を省略している。プロジェクター１は、第１光学装置２、第２光学装置３、第１偏光変換装置４、第２偏光変換装置５、合成光学装置６、投写光学装置７を有して構成される。これらの構成要素は、１つの図示しない筐体内に収納されている。また、筐体内部において、第１光学装置２は、合成光学装置６を挟んで投写光学装置７に対向する位置、すなわち、光学像の投写方向に正対する位置に設けられている。一方、第２光学装置３は、合成光学装置６に対して対向するとともに、投写方向に対して直交する位置に設けられている。第１偏光変換装置４は、第１光学装置２と合成光学装置６との間に配置され、第２偏光変換装置５は、第２光学装置３と合成光学装置６との間に配置される。
【００１４】
プロジェクター１は、例えば画像信号源などから入力される画像信号に応じて、第１光学装置２および第２光学装置３のそれぞれで光学像を形成する。プロジェクター１は、形成された光学像を合成光学装置６にて合成し、投写光学装置７により合成された光学像を図示しない被照射面に対して投射する。このようなプロジェクター１では、第１光学装置２および第２光学装置３から出力される光学像を、例えば斜め方向に半画素分ずらして高解像度画像を表示させることや、第１光学装置２および第２光学装置３から出力される光学像の画素を一致させて高輝度画像を表示させることが可能となる。
【００１５】
第１光学装置２は、照明光学装置２１、色分離光学装置２２、リレー光学装置２３、第１空間光変調装置としての空間光変調装置２４、第１色合成光学装置としての色合成光学装置２５を備える。第１光学装置２は、照明光学装置２１から射出された光を、空間光変調装置２４によって画像情報に応じて変調して光学像を形成する装置である。
【００１６】
照明光学装置２１は、第１光源装置としての光源装置２１１、第１レンズアレイ２１２、第２レンズアレイ２１３、偏光変換素子２１４、重畳レンズ２１５を備える。光源装置２１１は、光源ランプおよびリフレクターを備え、光源ランプから射出された放射光をリフレクターによって一定方向に揃えて射出する。
【００１７】
第１レンズアレイ２１２および第２レンズアレイ２１３は、それぞれ対応する小レンズがマトリクス状に配列された構成を有し、第１レンズアレイ２１２は、光源装置２１１から入射した光を複数の部分光束に分割して、第２レンズアレイ２１３近傍に結像させる。
【００１８】
第２レンズアレイ２１３は、光路後段に位置する重畳レンズ２１５とともに、後述する第１光学装置２を構成する空間光変調装置２４の画像形成領域に、第１レンズアレイ２１２で分割された複数の部分光束を重畳させる。
【００１９】
偏光変換素子２１４は、第２レンズアレイ２１３から射出された光束を、略１種類の直線偏光光束、すなわちＳ偏光光束に変換する光学素子である。偏光変換素子２１４は、一方の対角が４５ｄｅｇ、他方の対角が略１３５ｄｅｇとされた断面平行四辺形状の複数のプリズムを、斜面同士を接合して形成された板状体であり、接合される界面には、偏光分離膜と全反射ミラーが交互に蒸着形成されている。また、偏光変換素子２１４の光束射出面には、所定のピッチで複数の１／２波長位相差板が設けられている。
【００２０】
色分離光学装置２２は、ダイクロイックミラー２２１，２２２、反射ミラー２２３，２２４，２２５を備える。色分離光学装置２２は、入射したＳ偏光光束を、赤色光（Ｒ光）、緑色光（Ｇ光）、青色光（Ｂ光）の三色光に分離する機能を有する。
【００２１】
ダイクロイックミラー２２１，２２２は、光源装置２１１から射出された光束の光路中心に対して略４５度傾斜して配置される。ダイクロイックミラー２２１，２２２は、例えばＢＫ７、石英ガラス等の透明基板上に誘電体多層膜を形成した光学素子であり、特定の波長域の光束を透過させ、それ以外の光束を反射し、複数の色光に分離する機能を有する。光路前段に配置されるダイクロイックミラー２２１は、Ｒ光を透過させ、それ以外のＧ光、Ｂ光を反射する。一方、光路後段に配置されるダイクロイックミラー２２２は、Ｂ光を透過させ、Ｇ光を反射する。
【００２２】
色分離光学装置２２で分離されたＢ光の光路中には、リレー光学装置２３が設けられる。リレー光学装置２３は、光路中に配置される２つの集光レンズ２３１，２３２により構成され、Ｂ光をＢ光側のＢ光用空間光変調装置２４Ｂまで導く機能を有する。
【００２３】
空間光変調装置２４としては、Ｒ光を画像信号に応じて変調するＲ光用空間光変調装置２４Ｒと、Ｇ光を画像信号に応じて変調するＧ光用空間光変調装置２４Ｇと、Ｂ光を画像信号に応じて変調するＢ光用空間光変調装置２４Ｂとが設けられている。各光用空間光変調装置２４Ｒ，２４Ｇ，２４Ｂの光路前段には、それぞれ入射側偏光板２４１Ｒ，２４１Ｇ，２４１Ｂが設けられている。各光用空間光変調装置２４Ｒ，２４Ｇ，２４Ｂの光路後段には、それぞれ第１射出側偏光板としての射出側偏光板２４２Ｒ，２４２Ｇ，２４２Ｂが設けられている。また、入射側偏光板２４１Ｒ，２４１Ｂの光路前段には、１／２波長位相差板２４３Ｒ，２４３Ｂが設けられている。ここで、色合成光学装置２５、射出側偏光板２４２Ｒ，２４２Ｇ，２４２Ｂおよび各光用空間光変調装置２４Ｒ，２４Ｇ，２４Ｂをまとめて、変調ユニット（第１変調ユニット）２０という。
【００２４】
入射側偏光板２４１Ｒ，２４１Ｇ，２４１Ｂは、例えばＢＫ７、石英ガラス等の透明基板上に偏光膜を形成して構成され、光路途中のダイクロイックミラー２２１，２２２等で位相が偏光された光束を吸収する。このとき、入射側偏光板２４１Ｒ，２４１Ｂの光路前段には、１／２波長位相差板２４３Ｒ，２４３Ｂが設けられているため、Ｒ光およびＢ光の偏光方向が回転され、Ｓ偏光からＰ偏光に変換される。そして、入射側偏光板２４１Ｒ，２４１Ｂは、偏光方向がＰ方向の光束のみを透過させ、その他の偏光方向の光束を吸収する。一方、入射側偏光板２４１Ｇは、偏光方向がＳ偏光の光束のみを透過させ、その他の変更方向の光束を吸収する。
【００２５】
各光用空間光変調装置２４Ｒ，２４Ｇ，２４Ｂは、一対の透明なガラス基板に電気光学物質である液晶が密封封入された構成を有する。各光用空間光変調装置２４Ｒ，２４Ｇ，２４Ｂは、入力される画像情報に応じて液晶の配向状態が制御されることで、入射側偏光板２４１Ｒ，２４１Ｇ，２４１Ｂから射出された偏光光の偏光方向を変調する。
【００２６】
射出側偏光板２４２Ｒ，２４２Ｇ、２４２Ｂは、各光用空間光変調装置２４Ｒ，２４Ｇ，２４Ｂを介して射出された光束のうち、所定の偏光方向の光束のみを透過させる。ここで、射出側偏光板２４２Ｒ，２４２Ｂは、空間光変調装置２４Ｒ，２４Ｂから射出されるＲ光、Ｂ光のうち、偏光方向がＳ偏光である光束のみを透過し、その他の光束を吸収する。一方、射出側偏光板２４２Ｇは、Ｇ光用空間光変調装置２４Ｇから射出されるＧ光のうち、偏光方向がＰ偏光である光束のみを透過し、その他の光束を吸収する。
【００２７】
色合成光学装置２５は、射出側偏光板２４２Ｒ，２４２Ｇ，２４２Ｂから射出された変調光束を合成してカラー画像を形成する機能を有している。色合成光学装置２５は、４つの直角プリズムを貼り合わせた平面視略正方形状を呈し、直角プリズムを貼り合わせた界面には、２つの誘電体多層膜が形成されたダイクロイックプリズムとして構成される。２つの誘電体多層膜は、一方がＲ光を反射し、Ｇ光及びＢ光を透過する性質を有し、他方がＢ光を反射し、Ｒ光及びＧ光を透過する性質を有している。
【００２８】
第２光学装置３は、基本的に第１光学装置２と同様に、照明光学装置３１、色分離光学装置３２、リレー光学装置３３、第２空間光変調装置としての空間光変調装置３４、第２色合成光学装置としての色合成光学装置３５、第２射出側偏光板としての射出側偏光板３４２Ｒ，３４２Ｇ，３４２Ｂを備える。各装置の構成は、第１光学装置２のものと同様である。照明光学装置３１には、第２光源装置としての光源装置３１１が含まれる。ここで、色合成光学装置３５、射出側偏光板３４２Ｒ，３４２Ｇ，３４２Ｂおよび空間光変調装置３４をまとめて、変調ユニット（第２変調ユニット）３０という。
【００２９】
第１偏光変換装置４は、第１光学装置２から射出される射出光の偏光方向を、合成光学装置６を透過しやすいＰ偏光方向に揃える。第２偏光変換装置５は、第２光学装置３から射出される射出光の偏光方向を、合成光学装置６に反射されやすいＳ偏光方向に揃える。
【００３０】
合成光学装置６は、第１光学装置２および第２光学装置３で形成された光学像を合成するものである。合成光学装置６は、２つの三角形状のプリズムを貼り合わせた平面視略正方形状を呈し、プリズム同士を貼り合わせた界面に誘電体多層膜が形成される偏光ビームスプリッターである。この誘電体多層膜は、偏光方向がＰ偏光である光束を透過し、偏光方向がＳ偏光である光束を反射する偏光分離膜である。合成光学装置６は、第１光学装置２で形成された光学像を透過させ、第２光学装置３で形成された光学像を反射して、各光学像を合成する。投写光学装置７は、合成光学装置６で合成された光学像を被照射面に投写する。
【００３１】
＜冷却装置の構成＞
次に、冷却装置の構成について説明する。図２は、冷却装置の概略構成を示す平面図である。なお、図２では、図１で示したプロジェクター１の構成要素のうち、第１光学装置２側の構成を示し、さらに変調ユニット２０および入射側偏光板２４１Ｒ，２４１Ｇ，２４１Ｂ以外の構成の図示を省略している。また、第２光学装置３側にも同様の冷却装置が備えられている。
【００３２】
冷却装置８０は、入射側偏光板２４１Ｒ，２４１Ｇ，２４１Ｂ、各光用空間光変調装置２４Ｒ，２４Ｇ，２４Ｂ、および射出側偏光板２４２Ｒ，２４２Ｇ，２４２Ｂを冷却するためのものである。すなわち、本実施例では、入射側偏光板２４１Ｒ，２４１Ｇ，２４１Ｂ、各光用空間光変調装置２４Ｒ，２４Ｇ，２４Ｂ、および射出側偏光板２４２Ｒ，２４２Ｇ，２４２Ｂが、第１光学装置２側での冷却対象となる。冷却装置８０は、送風機８１、送風ダクト８２を備える。送風機８１および送風ダクト８２は、各光用空間光変調装置２４Ｒ，２４Ｇ，２４Ｂごとに設けられている。送風機８１と送風ダクト８２とが、第１光学装置２側に３組設けられている。
【００３３】
図３は、入射側偏光板２４１Ｂ、Ｂ光用空間光変調装置２４Ｂ、および射出側偏光板２４２Ｂを冷却するための冷却装置８０の拡大平面図である。図４は、図３に示す冷却装置８０の吹出口部分の部分拡大斜視図である。なお、以下の本実施例中において冷却対象という場合には、入射側偏光板２４１Ｂ、各光用空間光変調装置２４Ｂ、および射出側偏光板２４２Ｂを示す。以下、Ｂ光が入射・射出する入射側偏光板２４１Ｂ、Ｂ光用空間光変調装置２４Ｂ、および射出側偏光板２４２Ｂと、それに対応して設けられた送風機８１および送風ダクト８２を例に挙げて説明するが、Ｒ光およびＧ光が入射・射出する入射側偏光板２４１Ｒ，２４１Ｇ、空間光変調装置２４Ｒ，２４Ｇ、および射出側偏光板２４２Ｒ，２４２Ｇと、それに対応して設けられた送風機８１や送風ダクト８２にも同様の構成が適用される。
【００３４】
送風機８１は、送出口８１ａから冷却風を送出する。送風ダクト８２は、送風機８１の送出口８１ａに接続される。送風ダクト８２には、冷却対象の下方となる位置に開口が形成されており、この開口が冷却風を吹き出す吹出口８２ａとなる。送風ダクト８２は、送風機８１から送出された冷却風を、冷却対象の近傍である下方まで導いて、吹出口８２ａから冷却対象に向けて吹き出させる。冷却対象は、冷却風が吹き付けられることで、冷却され、温度の上昇が抑えられる。
【００３５】
図３に示すように、吹出口８２ａの周囲には、風向変更板８６がヒンジ８６ａを介して回転可能に設けられている。風向変更板８６を回転させて、風向変更板８６の姿勢を変更することで、吹出口８２ａから吹き出される冷却風の風向を変更することができる。
【００３６】
＜吹出口の位置の調整について＞
図５は、吹出口８２ａから吹き出される冷却風の風向の変更について説明するための側面図である。プロジェクター１の製造過程では、第１変調ユニット２０や送風ダクト８２を一旦据え付けたあとに、第１変調ユニット２０の位置が移動される場合がある。特に、本実施例１のように２つの光学装置２，３を有して構成されるプロジェクター１の場合、被照射面上で両光学装置２，３によって表示される画像の画素を一致させたり、半画素分ずらしたりするために、微調整が必要となり、変調ユニット２０が移動されやすい。図５では、移動後の変調ユニット２０を実線で示し、移動前の変調ユニット２０を二点鎖線で示している。
【００３７】
このように、変調ユニット２０が移動されると、冷却対象の一部であるＢ光用空間光変調装置２４Ｂおよび射出側偏光板２４２Ｂと、吹出口８２ａからの冷却風の吹出方向とがずれてしまい、これらを効果的に冷却できなくなる場合がある。特に、射出側偏光板２４２Ｂは、空間光変調装置２４Ｂからの光を適宜遮蔽するため、空間光変調装置２４Ｂや入射側偏光板２４１Ｂに比べて発熱量が大きくなる。変調ユニット２０の移動により、射出側偏光板２４２Ｂが移動するので、射出側偏光板２４１Ｂの温度上昇が問題になりやすい。
【００３８】
そこで、図５に示すように、風向変更板８６の一部を外側に広げるように回転させ、その姿勢を変更させることで、吹出口８２ａから吹き出される冷却風の風向を、移動後の空間光変調装置２４Ｂと射出側偏光板２４２Ｂに向けることができる。このように、吹出口８２ａから吹き出される冷却風の風向を調整することで、冷却風をより確実に冷却対象に吹き付けることができるようになり、冷却対象を効果的に冷却できるようになる。特に、射出側偏光板２４２Ｂの移動方向に合わせて、冷却風の風向を調整することで、温度が上昇しやすい射出側偏光板２４２Ｂの温度上昇を抑えやすくすることができる。
【００３９】
図６は、複数の風向変更板８６の姿勢の変更による風向の調整を説明するための図である。図６に示すように、入射側偏光板２４１Ｂと射出側偏光板２４２Ｂの両方が移動され、冷却対象の幅が変化する場合もある。このような場合には、複数の風向変更板８６の姿勢を変更して、より多くの冷却風が冷却対象に吹き付けられるようにすることができる。
【００４０】
なお、変調ユニット２０の移動は、プロジェクター１の製造過程以外でも行われる場合があり、例えば、プロジェクター１を設置した際に、実際に被照射面に表示される画像に基づいて行われる場合もあるし、プロジェクター１のメンテナンス時に行われる場合もある。
【００４１】
また、本実施例１では、変調ユニット２０全体を移動する例を挙げて説明したが、冷却対象の移動はこれに限られない。例えば、投写光学装置７が移動されてバックフォーカスが変化した場合には、色合成光学装置２５や射出側偏光板２４１は移動されず、空間光変調装置２４Ｂだけが移動される場合もある。
【００４２】
また、本実施例１では、２つの光学装置を備えるプロジェクター１を例に挙げて説明したが、光学装置を１つしか備えていないプロジェクターにも本発明はもちろん適用可能である。すなわち、冷却対象が移動される可能性のあるプロジェクターであれば、冷却対象の移動に合わせて吹出口から吹き出される冷却風の風向を調整して、冷却効率の低下を抑えることができる。
【００４３】
また、吹出口８２ａから吹き出される冷却風の風向は、冷却対象の移動距離に合わせて調整されてもよいし、冷却対象の温度を実際に検出して、より冷却効率が高くなるような方向となるように調整されてもよい。また、風向変更板８６の姿勢の調整は、本実施例１のように手動で行われてもよいし、モーター等を用いて自動で行われるようにしてもよい。
【００４４】
また、プロジェクター１は、空間光変調装置として透過型液晶表示装置を用いる場合に限られない。空間光変調装置としては、反射型液晶表示装置（Liquid  Crystal  On  Silicon；ＬＣＯＳ）、ＤＭＤ（Digital  Micromirror  Device）、ＧＬＶ（Grating  Light  Valve）等を用いても良い。プロジェクター１は、色光ごとに空間光変調装置を備える構成に限られない。プロジェクター１は、一の空間光変調装置により２つ又は３つ以上の色光を変調する構成としても良い。
【実施例２】
【００４５】
図７は、本発明の実施例２に係るプロジェクターが備える冷却装置の側面図である。図７では、送風ダクト８２を断面図で示している。上記の実施例１と同一の部分には同一の符号を付し、重複する説明を省略する。本実施例２では、図７に示すように、風向変更板８６が吹出口８２ａの近傍であって、送風ダクト８２の内側に設けられている。風向変更板８６は、軸８６ｂを介して送風ダクト８２の内側に取り付けられており、軸８６ｂを中心に回転可能となっている。
【００４６】
図８は、図７に示す冷却装置における冷却風の風向の調整を説明するための図である。図８に示すように、冷却対象の位置が調整されて移動した場合には、風向変更板８６を回転させて、その姿勢を変更することで、冷却風の風向を変更することができる。これにより、冷却風をより確実に冷却対象に吹き付けることができ、冷却対象を効果的に冷却することができる。
【００４７】
また、風向変更板８６が送風ダクト８２の内側に納められるので、冷却装置の小型化を図ることができ、プロジェクターの小型化にも寄与することができる。
【実施例３】
【００４８】
図９は、本発明の実施例３に係るプロジェクターが備える冷却装置の平面図である。上記の実施例と同一の部分には同一の符号を付し、重複する説明を省略する。本実施例３では、本実施例３では、送風機８１と送風ダクト８２とが移動可能となっており、送風ダクト８２を移動させることで、吹出口８２ａの位置も移動させることができるようになっている。
【００４９】
送風機８１には、図示しないプロジェクターの筐体に送風機８１をねじで固定するための固定部８１ｂが形成されている。固定部８１ｂには、ねじを貫通させるための孔部８１ｃが形成されている。図９において破線で示すように、プロジェクターの筐体側には、複数のねじ孔１ａが形成されている。送風機８１は、複数のねじ孔１ａのうち、いずれのねじ孔１ａを使用して固定するかによって、その設置位置を調整できるようになっている。
【００５０】
送風ダクト８２には、プロジェクターの筐体に送風ダクト８２をねじで固定するための固定部８２ｂが形成されている。固定部８２ｂには、ねじを貫通させるための孔部８２ｃが形成されている。図９において破線で示すように、プロジェクターの筐体側には、複数のねじ孔１ｂが形成されている。送風ダクト８２は、複数のねじ孔１ｂのうち、いずれのねじ孔１ｂを使用して固定するかによって、その設置位置を調整できるようになっている。なお、ねじ孔１ａ，１ｂが形成されて送風機８１や送風ダクト８２が固定される固定対象は、プロジェクターの筐体に限られず、第１光学装置２のケーシング等であってもよい。
【００５１】
図１０および図１１は、図９に示す冷却対象における冷却風の風向の調整および吹出口の位置の調整について説明するための図である。図１０に示すように、冷却対象が大きく移動された場合には、風向変更板８６の姿勢の変更だけでは、十分に冷却対象に冷却風を吹き付けることができない場合がある。
【００５２】
しかし、送風機８１と送風ダクト８２を固定する際に使用するねじ孔１ａ，１ｂを変更することで、送風機８１と送風ダクト８２とを一体で移動させて、吹出口８２ａの位置を調整するとともに、風向変更板８６の姿勢を変更させて、冷却風の風向を変更することで、図１１に示すように、大きく移動した冷却対象にも冷却風を吹き付けることができる。このように、風向変更板８６の姿勢の変更による風向の調整だけでは対応できないような冷却対象の大きな移動に対しても、送風ダクト８２の移動による吹出口８２ａの位置の調整を組み合わせることで、冷却対象に効果的に冷却風を吹き付けて、冷却効率の低下を抑えることができる。
【符号の説明】
【００５３】
１  プロジェクター、１ａ，１ｂ  ねじ孔、２  第１光学装置、３  第２光学装置、４  第１偏光変換装置、５  第２偏光変換装置、６  合成光学装置、７  投写光学装置、２０  変調ユニット、２１  照明光学装置、２２  色分離光学装置、２３  リレー光学装置、２４  空間光変調装置、２４Ｒ  Ｒ光用空間光変調装置、２４Ｇ  Ｇ光用空間光変調装置、２４Ｂ  Ｂ光用空間光変調装置、２５  色合成光学装置、３１  照明光学装置、３２  色分離光学装置、３３  リレー光学装置、３４  空間光変調装置、３５  色合成光学装置、８０  冷却装置、８１  送風機、８１ａ  送出口、８１ｂ  固定部、８１ｃ  孔部、８２  送風ダクト、８２ａ  吹出口、８２ｂ  固定部、８２ｃ  孔部、８６  風向変更板（風向変更手段）、８６ａ  ヒンジ、８６ｂ  軸、２１１  光源装置、２１２  第１レンズアレイ、２１３  第２レンズアレイ、２１４  偏光変換素子、２１５  重畳レンズ、２２１，２２２  ダイクロイックミラー、２２３，２２４，２２５  反射ミラー、２３１，２３２  集光レンズ、２４１Ｒ，２４１Ｇ，２４１Ｂ  入射側偏光板、２４２Ｒ，２４２Ｇ，２４２Ｂ  射出側偏光板、２４３Ｒ，２４３Ｂ  波長位相差板、３１１  光源装置、３４２Ｒ，３４２Ｇ，３４２Ｂ  射出側偏光板
【図１】
2011141501.tif 000003
【図２】
2011141501.tif 000004
【図３】
2011141501.tif 000005
【図４】
2011141501.tif 000006
【図５】
2011141501.tif 000007
【図６】
2011141501.tif 000008
【図７】
2011141501.tif 000009
【図８】
2011141501.tif 000010
【図９】
2011141501.tif 000011
【図１０】
2011141501.tif 000012
【図１１】
2011141501.tif 000013